(57)【要約】【課題】ヘッド挿入用の開口部からドライブのヘッドを確実にシェル内に挿入できるようにする。【解決手段】ディスクカートリッジ１は、ディスク２と、ディスク２を回転自在に収納したシェル３と、シェル３の上ハーフ４１とディスク２との間に回転可能に介在されていて周壁７４及び該周壁７４に設けた切欠部７５とでシェル３の側面に設けたヘッド挿入用の開口部３７を開閉するインナーローター５と、インナーローター５を回転させて前記周壁７４で前記開口部３７を閉塞したときにディスク２を下ハーフ４２に押し付けてクランプするディスククランプ手段６と、を備えている。インナーローター５は、前記周壁７４に設けた切欠部７５の位置にあってディスク２との重合面側が凹み、上ハーフ４１との重合面側が突出する薄肉の段差部７６を備えている。【選択図】  図３
2004273026.tif 000002
【特許請求の範囲】
【請求項１】
ディスク状記録媒体と、
前記ディスク状記録媒体を回転自在に収納し該ディスク状記録媒体のハブを外部に臨ませる駆動軸挿入用の開口部を底面側に有し、ヘッド挿入用の開口部を側面側に有するシェルと、
前記シェルの上ハーフとディスク状記録媒体との間に回転可能に介在されていて周壁及び該周壁に設けた切欠部とで前記ヘッド挿入用の開口部を開閉するインナーローターと、
前記インナーローターで前記ヘッド挿入用の開口部を閉塞したときに前記ディスク状記録媒体を前記シェルに押し付けてクランプするディスククランプ手段と、を備え、
前記インナーローターは、前記周壁に設けた切欠部の位置にあってディスク状記録媒体との重合面側が凹み、上ハーフとの重合面側が突出する段差部を備え、
前記上ハーフは、前記インナーローターとの重合面に前記段差部の突出部を前記インナーローターの回転範囲において挿入する第１の凹部と、該第１の凹部の外側に設けられていてディスククランプ手段を配置する第２の凹部と、を備えていることを特徴とするディスクカートリッジ。
【請求項２】
前記ディスククランプ手段は、ドライブへの挿入方向に対して一定の傾斜角度を以って配置されていることを特徴とする請求項１に記載のディスクカートリッジ。
【発明の詳細な説明】
【０００１】
【発明の属する技術分野】
本発明は、ディスク状記録媒体を回転可能に収納したシェルの側面にヘッド挿入用の開口部を設け、該開口部を閉じるとディスククランプ手段によりディスク状記録媒体がシェル内でクランプされ、前記開口部を開くと前記クランプ手段によるディスク状記録媒体のクランプが解除されて、ディスク状記録媒体が回転可能な状態になるディスクカートリッジに関するものである。
【０００２】
【従来の技術】
シェルの側面にヘッド挿入用の開口部が設けられていて、ドライブ（記録再生装置）へ挿入すると前記ヘッド挿入用の開口部のドアが開かれ、ディスククランプ手段によるディスク状記録媒体のクランプが解除され、前記ヘッド挿入用の開口部からドライブのヘッドがシェル内に挿入されると共に、駆動用の開口部からドライブの駆動軸が挿入され、ディスク状記録媒体を回転させて記録再生が行われ、ドライブから取出すと前記ヘッド挿入用の開口部がドアによって閉じられ、前記ディスククランプ手段でディスク状記録媒体がクランプされてシェル内で揺動する（ガタツク）ことのないようにしたディスクカートリッジが知られている。（例えば、特許文献１）
前記ディスクカートリッジにおいて、ヘッド挿入用の開口部を開閉するドアには、フレキシブルドアが用いられている。またディスククランプ手段には、回転カム、並進カムフォロア、バネ等が用いられている。そして、ドアを閉じると作動ワイヤを介して回転カムが一方向に回転し、並進カムフォロアをバネに抗してディスク側に移動させてディスクを下シェル側に押し付けてクランプするようになっている。また、ドアを開くと作動ワイヤを介して回転カムが他方向に回転し、バネで並進カムフォロアをディスクから離間する方向に移動させてディスクのクランプを解除するようになっている。（例えば特許文献１）
【０００３】
【特許文献１】
特表２０００−５０１２１８号公報（特許請求の範囲、第７頁第１５〜２１行、第１０頁第１５〜２１行、図１〜図５）
【０００４】
【発明が解決しようとする課題】
ところで、特許文献１のディスクカートリッジは、ドアにフレキシブルドアを使用し、ディスククランプ手段に回転カム、並進カムフォロア、バネ等を使用しているために構造が複雑で、シェルへの組付作業性が悪く、コストが高いものになっていた。このために、この種のディスクカートリッジにおいては、ドアにフレキシブルドアを使用しないでヘッド挿入用の開口部を開閉することができ、また、ディスククランプ手段の構造を簡素化し、シェルへの組付作業性を向上させると共に、コストを下げることが最大の課題になっていた。
【０００５】
上記課題を解決するものとして、周壁に切欠部を設けたインナーローターを使用し、該インナーローターをシェルの上ハーフとディスク状記録媒体との間で回転させ、前記周壁に設けた切欠部をシェルの側面に設けたヘッド挿入用の開口部の位置に合わせることにより、前記ヘッド挿入用の開口部を開放し、切欠部の位置をずらすことにより前記ヘッド挿入用の開口部を前記周壁で閉塞するようにしたディスクカートリッジも開発されている。
【０００６】
ところで、前述のようなインナーローターを使用してシェルの側面に設けたヘッド挿入用の開口部を開閉するディスクカートリッジは、前記インナーローターの肉厚により前記ヘッド挿入用の開口部の高さ方向の幅が狭められてヘッドをシェル内に挿入する際の障害になるという問題点があった。
【０００７】
本発明の目的は、インナーローターの存在等がヘッドをシェル内に挿入する際の障害にならないディスクカートリッジを提供することにある。
【０００８】
【課題を解決するための手段】
請求項１の発明は、ディスク状記録媒体と、前記ディスク状記録媒体を回転自在に収納し該ディスク状記録媒体のハブを外部に臨ませる駆動軸挿入用の開口部を底面側に有し、ヘッド挿入用の開口部を側面側に有するシェルと、前記シェルの上ハーフとディスク状記録媒体との間に回転可能に介在されていて周壁及び該周壁に設けた切欠部とで前記ヘッド挿入用の開口部を開閉するインナーローターと、前記インナーローターで前記ヘッド挿入用の開口部を閉塞したときに前記ディスク状記録媒体を前記シェルに押し付けてクランプするディスククランプ手段と、を備えたディスクカートリッジにおいて、
前記インナーローターには、前記周壁に設けた切欠部の位置において前記ディスク状記録媒体との重合面側が凹み、上ハーフとの重合面側が突出する薄肉の段差部を設ける一方、前記上ハーフには、前記インナーローターとの重合面に前記段差部の突出部を前記インナーローターの回転範囲において挿入する第１の凹部と、該第１の凹部の外側に設けられていてディスククランプ手段を配置する第２の凹部と、を設けることにより、
シェル内にヘッドを挿入する際に前記段差部によりヘッドが前記インナーローターの端部に当接するのを防止してヘッドのシェル内への挿入を容易にした。また、インナーローターを一方向に回転させると前記インナーローターに設けた段差部の突出部が上ハーフに設けた第１の凹部の一側部に当接して更なる回転が阻止され、他方向に回転させると前記インナーローターに設けた段差部の突出部が上ハーフに設けた第２の凹部の他側部に当接して更なる回転が阻止される。
【０００９】
【発明の実施の形態】
以下、本発明を（１）ディスクカートリッジの概略構成、（２）ディスク状記録媒体の構成、（３）シェルの構成、（４）シャッタの構成、（５）インナーローターの構成、（６）クランプ手段の構成、（７）ドライブの概略構成、（８）作用、の順に説明する。
【００１０】
（１）ディスクカートリッジの概略構成
図１はディスクカートリッジの斜視図、図１はディスクカートリッジを裏面側から見た斜視図、図３はディスクカートリッジの分解斜視図である。
【００１１】
ディスクカートリッジ１は、ディスク状記録媒体２と、該ディスク状記録媒体２を回転自在に収納し該ディスク状記録媒体２のハブ２２を外部に臨ませる駆動軸挿入用の開口部３６を底面側に有し、ヘッド挿入用の開口部３７を側面側に有するシェル３と、該シェル３の下ハーフ４２の外面にスライド可能に取り付けられていて前記駆動軸挿入用の開口部３６を開閉するシャッター４と、前記シェル３の上ハーフ４１とディスク状記録媒体２との間に回転可能に介在されていて周壁７４及び該周壁７４に設けた切欠部７５とで前記ヘッド挿入用の開口部３７を開閉するインナーローター５と、該インナーローター５を回転させて前記ヘッド挿入用の開口部３７を閉塞したときに前記ディスク状記録媒体２のハブ２２を前記シェル３の下ハーフ４２に押し付けてクランプするディスククランプ手段６と、を備えている。
【００１２】
前記インナーローター５は、前記周壁７４に設けた切欠部７５の位置にあってディスク状記録媒体２との重合面側が凹み、上ハーフ４１との重合面側が突出する薄肉の段差部７６を備えている。
【００１３】
また、前記上ハーフ４１は、前記インナーローター５との重合面に前記段差部７６の突出部を前記インナーローター５の回転範囲において挿入するインナーローター回転用の第１の凹部５０と、該第１の凹部５０外に設けられていて、後に説明するディスククランプ手段６を配置するディスククランプ手段配置用の第２の凹部４７と、を備えている。
【００１４】
前記ディスククランプ手段６は、後に説明するドライブ（記録再生装置）への挿入方向Ａに対して一定の傾斜角度θを以って配置されている。
【００１５】
前記ディスクカートリッジ１は、ドライブに挿入すると、ドライブに設けたシャッター開閉機構により前記シャッター４が前記駆動軸挿入用の開口部３６を閉塞している位置から開放する位置にスライドする。前記シャッター４のスライドに連動して前記インナーローター５が回転して、該インナーローター５の周壁７４に設けた切欠部７５が前記ヘッド挿入用の開口部３７と重なって、該ヘッド挿入用の開口部３７を開放すると共に、前記インナーローター５の回転に連動して前記ディスククランプ手段６が操作され、該ディスククランプ手段６によるディスク状記録媒体２のクランプが解除されて、ディスク状記録媒体２は回転可能な状態になる。
【００１６】
そして、前記駆動軸挿入用の開口部３６からドライブの駆動軸が導入されて、該駆動軸にディスク状記録媒体２のハブ２２がチャッキングされる。一方、前記ヘッド挿入用の開口部３７からはドライブのヘッドが挿入され、記録再生可能な状態になる。
【００１７】
また、ドライブからディスクカートリッジ２を排出すると、ドライブに設けたシャッター開閉機構やシャッタースプリングにより前記シャッター４が前記駆動軸挿入用の開口部３６を開放している位置から閉塞する位置にスライドする。前記シャッター４のスライドに連動して前記インナーローター５が回転して、該インナーローター５の周壁７４に設けた切欠部７５が前記ヘッド挿入用の開口部３７に対して非重合位置に移動して、前記ヘッド挿入用の開口部３７を閉塞すると共に、前記インナーローター５の回転に連動して前記ディスククランプ手段６が操作されて、該ディスククランプ手段６によりディスク状記録媒体２のハブ２２がシェル３の下ハーフ４２に押し付けられてクランプされた状態になる。
【００１８】
（２）ディスク状記録媒体の構成
図３の分解図に示すように、ディスク状記録媒体２は、ディスク本体部２１と、該ディスク本体部２１の中央部に取付けられたハブ２２と、を備えている。ディスク本体部２１は、ハードディスク基板上に磁性層や保護層を積層することにより形成されている。
【００１９】
ディスク本体部２１の中央部には、センタ孔（図示省略）が設けられていて、該センタ孔に前記ハブ２２が取り付けられている。前記ハブ２２は、磁性体で形成されていて、後に説明するドライブ２０１の駆動軸（ターンテーブル）２０９にマグネットチャッキングされる。前記ハブ２２の一方の面（図３の上側の面）には前記駆動軸挿入用の開口部３６に嵌合する凸部２３が設けられ、他方の面（図３の下側の面）には、後に説明するディスク押圧部材８２の先端部に設けた凹部９３に嵌合する凸部２４が設けられている。
【００２０】
（３）シェルの構成
図１〜図２に示すように、シェル３は、前端面３１が略円弧面で、後端面３２及び左右の端面３３、３４がストレート面の偏平な箱形状に形成されている。
【００２１】
シェル３は、底面３５に駆動軸挿入用の開口部３６を有していて、該駆動軸挿入用の開口部３６は、シェル３の底面３５にスライド可能に取り付けたシャッター４で開閉されるようになっている。
【００２２】
また、シェル３は、前端面３１にヘッド挿入用の開口部３７を有していて、該ヘッド挿入用の開口部３７は、シェル３内に回転自在に収納されているインナーローター５で開閉されるようになっている。
【００２３】
前記シェル３の前端面３１は、ディスク２の外径と略同じ曲率の弧状面３１ａと、該弧状面３１ａの一端に連続する第１の平坦面３１ｂと、弧状面３１ｂの他端に連続する第２の平坦面３１ｃを有している。
【００２４】
前記第１の平坦面３１ｂと第２の平坦面３１ｃは、後に説明するドライブ２０１への挿入方向と直交する方向に形成されていて、前記第１の平坦面３１ｂがドライブ２０１に設けられているカートリッジ位置決め部材２０３との当接部になっている。前記ヘッド挿入用の開口部３７は、前記弧状面３１の第１の平坦面３１ｂ側に設けられている。
【００２５】
シェル３は、ポリカーボネート（ＰＣ）、アクリルブチレンスチロール（ＡＢＳ）等のプラスチック等の熱可塑性樹脂により射出成形された上ハーフ４１と下ハーフ４２とで構成されている。
【００２６】
図３に示すように、上ハーフ４１は、前記前端面３１の弧状面３１ａを構成する弧状面構成壁４１ａと、前記第１の平坦面３１ｂを構成する第１の平坦面構成壁４１ｂと、前記第２の平坦面３１ｃを構成する第２の平坦面構成壁４１ｃと、を備えていて、前記弧状面構成壁４１ａには、前記ヘッド挿入用の開口部３７を構成する切欠部４１ｄが設けられている。また、上ハーフ４１は、前記後端面３２を構成する後端面構成壁４１ｅ及び前記左右の端面３３，３４を構成する左右の端面構成壁４１ｆ，４１ｇを備えていて、これら後端面構成壁４１ｅ及び左右の端面構成壁４１ｆ，４１ｇの内側には、前記円弧状の前端面３１等と共に円形状のインナーローター収納部４３を構成する略円弧状の内壁４４を備え、該内壁４４の内側には、後に説明するインナーローター５に設けた環状の回転ガイド凸部７５が嵌合して、該インナーローター５の回転をガイドする回転ガイド溝４５が設けられている。
【００２７】
前記第２の平坦面構成壁４１ｃの内側や後端面構成壁４１ｅの内側の両側部には、ネジ止め用のボス部４６が設けられている。また、上ハーフ４１の内面には、後に説明するディスククランプ手段６の押圧解除部材８３が移動可能に配置される第２の凹部（以下、第２の凹部を押圧解除部材組付け用の凹部と称する）４７が設けられ、該凹部４７の中心部（インナーローター収納部４３の中心部）には後記するディスククランプ手段６のディスク押圧部材８１を昇降可能に取り付けるための軸部４８が設けられ、該軸部４８の点対称位置には押圧解除部材８３，８３のスライドをガイドする軸部４９，４９が設けられている。
【００２８】
前記第２の凹部４７は、組付けたディスククランプ手段６が、ドライブのヘッドの挿入及び移動の障害にならないように、ヘッド挿入用の開口部３７を構成する切欠部４１ｄを避けて、ドライブへの挿入方向Ａに対して所定の傾斜角度θをもたせた状態で上ハーフ４１の内面の直径方向に設けられている。
【００２９】
また、前記切欠部４１ｄを含むインナーローター５の回動範囲には、前記インナーローター５の段差部７５の突出側の端部を、前記インナーローターの回転範囲において挿入する第１の凹部５０が設けられている。前記インナーローター収納部４３内には、ディスク２を回転自在に収納したインナーローター５が回転自在に収納される。
【００３０】
下ハーフ４２は、前記上ハーフ４１の弧状面構成壁４１ａと共に前記弧状面３１ａを構成する弧状面構成壁４２ａと、前記上ハーフ４１の第１の平坦面構成壁４１ｂと共に前記第１の平坦面３１ｂを構成する平坦面構成壁４２ｂと、第２の平坦面構成壁４１ｃと共に前記第２の平坦面３１ｃを構成する平坦面構成壁４２ｃと、を備えていて、前記弧状面構成壁４２ｃには、前記上ハーフ４１の切欠部４１ｄと共に前記ヘッド挿入用の開口部３７を構成する切欠部４２ｄが設けられている。また、下ハーフ４２は、前記上ハーフ４１の後端面構成壁４１ｅと共に前記後端面３２を構成する後端面構成壁４２ｅ及び前記上ハーフ４１の左右の端面構成壁４１ｆ，４１ｇと共に前記左右の端面３３，３４を構成する左右の端面構成壁４２ｆ，４２ｇを備えている。
【００３１】
下ハーフ４２は、外面側にシャッター４のスライド範囲を規定するシャッター落とし込み用の凹部５１を備えている。また、図４に示すように、下ハーフ４２は、インナーローター５の周壁７４の内側に位置する内壁５２を備えている。そして、前記シェル３の前端面３１、後端面３２、左右の端面３３，３４等の周壁と、インナーローター５の周壁７４と、前記下ハーフ４２の内壁５２とで、所謂ラビリンス構造の防塵壁を構成してシェル３の外部から塵埃等が侵入するのを防止するようになっている。
【００３２】
前記上ハーフ４１と下ハーフ４２は、互いの弧状面構成壁、後端面構成壁、左右の端面構成壁等を突き合わせてネジ５３等により前記ボス部４６等で結合されてシェル３を構成する。また、前記シェル３の下ハーフ４２側の外面には前記シャッター４の自由端側が捲れ上がるのを防止するシャッターガイド５４が取付けられている。また、シェル３の内部にはシャッターロック部材５５と誤消去防止部材５６が取付けられている。
【００３３】
（４）シャッターの構成
シャッター４は、ステンレススチールやアルミニューム等の肉厚０．１〜０．５ｍｍ程度の薄板を矩形状に打ち抜くことにより形成されている。シャッター４は、長手方向の一端部にスライダー取付部４ａを備えていて、該スライダー取付部４ａに取り付けたスライダー６１を介してシェル３に組付けられる。
【００３４】
前記スライダー６１は、一側面にギヤ６２を有するラック状に作られていて、他側面にピン状の一対の突起６３を備えている。そして、前記一対の突起６３を前記シャッター４のスライダー取付部４ａに設けた一対のピン挿入孔４ｂに挿入して、前記突起６３の先端部をかしめて拡径させることによりシャッター４のスライダー取付部４ａに取り付けられる。
【００３５】
前記スライダー６１は、前記シャッター４を前記下ハーフ４２のシャッター落とし込み用の凹部５１内に重ね合わせた状態で、上ハーフ４１と下ハーフ４２の間に挟まれ、且つ前記ギヤ６２をインナーローター収納部４３内に臨ませた状態で、前記一方の端面３３に沿ってスライド可能に取り付けられていて、駆動軸挿入用の開口部３６を閉塞する位置と開放する位置との間で前記シャッター４を移動させるようになっている。
【００３６】
（５）インナーローターの構成
前記インナーローター５は、ディスク状記録媒体２のハブ２２が臨む孔部７１を中心部に有する円板状の基板７２と、該基板７２の一方の面（図３において下側の面）の周縁部近傍に設けられた環状の回転ガイド凸部７３と、前記基板７２の他方の面（図３において上側の面）の周縁部に立設された円筒状の周壁７４と、を備えていて、該周壁７４内にディスク状記録媒体２を回転自在に収納するようになっている。
【００３７】
前記基板７２の一方の面（図３において下側の面）の前記環状の回転ガイド凸部７３の内側には、次に説明するディスククランプ手段６のリンク機構８４を構成する突起８５が設けられている。
【００３８】
前記インナーローター５は、前記環状の回転ガイド凸部７３を前記上ハーフ４１に設けた回転ガイド溝４５に嵌合することにより前記インナーローター収納部４３に回転自在に収納されていて、周壁７４で前記ヘッド挿入用の開口部３７をシェル３の内側から塞ぐようになっている。
【００３９】
前記インナーローター５の周壁７４の一部には、切欠部７５が設けられていて、該切欠部７５を前記ヘッド挿入用の開口部３７と重ね合せることにより、該ヘッド挿入用の開口部３７を開放するようになっている。
【００４０】
前記インナーローター５の基板７２の前記切欠部７５に連なるヘッド挿入部分及び移動部分には、ヘッド挿入時においてヘッドとの干渉を防止し、ヘッドの挿入及び移動を確実に行なうための薄肉の段差部７６が設けられている。
【００４１】
前記段差部７６は、ディスク状記録媒体２との重合面側が凹み、上ハー４１との重合面側が突出するようになっていて、該突出側の端部が、前記上ハーフ４１の内面に設けた第１の凹部５０内に挿入される。
【００４２】
前記インナーローター５は、周壁７４の外周面に前記スライダー６１のギヤ６２と噛合するギヤ７７を備えていて、シャッター４のスライドに連動して回動するようになっている。
【００４３】
前記インナーローター５は、シャッター４が駆動軸挿入用の開口部３６を閉塞する位置にあるときには、前記周壁７４で前記ヘッド挿入用の開口部３７を閉塞し、この位置からシャッター４が駆動軸挿入用の開口部３６を開放する位置にスライドしてきたときに、前記周壁７４の切欠部７５がヘッド挿入用の開口部３７と重なり合って、該ヘッド挿入用の開口部３７を開放するようになっている。
（６）ディスククランプ手段の構成
ディスククランプ手段６は、前述したように、インナーローター５がヘッド挿入用の開口部３７を閉塞する位置に回転してきたときにディスク状記録媒体２を上ハーフ４１に押し付けてディスク状記録媒体２をクランプし、インナーローター５がヘッド挿入用の開口部３７を開放する位置に回転してきたときにディスク状記録媒体２のクランプを解除するものである。
【００４４】
ディスククランプ手段６は、前記上ハーフ４１の内面の中央部に設けた軸部４８に昇降可能に組み付けられていてディスク状記録媒体２のハブ２２に接離可能なディスク押圧部材８１と、該ディスク押圧部材８１を付勢し該ディスク押圧部材８１を介してディスク状記録媒体２のハブ２２を下ハーフ４２に押し付けてクランプする付勢部材８２と、インナーローター５がヘッド挿入用の開口部３７を開放する位置に移動してきたときに該付勢部材８２の付勢力に抗して前記ディスク押圧部材８１を前記ディスク状記録媒体２から離間させて前記ディスク状記録媒体２のクランプを解除する一対の押圧解除部材８３，８３と、これら一対の押圧解除部材８３，８３を前記インナーローター５の回転に連動させて互いに接近又は離間する方向に移動させるリンク機構８４と、を備えている。
【００４５】
前記一対の押圧解除部材８３，８３は、上ハーフ４１とインナーローター５の間に前記ディスク押圧部材８１を挟んで直径方向に互いに接近方向及び離間する方向に移動可能に配置されていて、互いに接近する方向に移動したときに前記付勢部材８２の付勢力に抗して前記ディスク押圧部材８１を押圧して該ディスク押圧部材８１を前記ディスク状記録媒体２のハブ２２から離間させて前記ディスク押圧部材８１によるディスク状記録媒体２のクランプを解除し、互いに離間する方向に移動したときに前記ディスク押圧部材８１の押圧を徐々に解除して、前記付勢部材８２の付勢力によりディスク押圧部材８１をディスク状記録媒体２側に突出させるようになっている。
【００４６】
前記リンク機構８４は、前記インナーローター５の一方の面（図３の下側の面）に設けられた突起８５と、前記押圧解除部材８３，８３に設けられていて前記突起８５が変移可能に係合する長溝８６と、で構成されている。
【００４７】
図５に拡大して示すように、前記長溝８６は、前記インナーローター５の回転に伴う前記突起８５の変移によって前記一対の押圧解除部材８３，８３を互いに接近する方向又は離間する方向に直進移動させる第１の長溝部８７と、該第１の長溝部８７の両端部に連続し前記インナーローター５の回転に伴う前記突起８５の変移しても前記一対の押圧解除部材８３，８３を移動させることのない第２，第３の長溝部８８，８９と、を備えている。
【００４８】
第１の長溝部８７は、前記インナーローター５の回転角度に略比例して押圧解除部材８３，８３を円滑に移動させために２つの直線状溝８７ａ，８７ｂを連続させることにより構成されている。前記第２，第３の長溝部８８，８９は、インナーローター５の回転方向に中心点Ｃ１，Ｃ２の異なった同一曲率の円弧状に形成されている。
【００４９】
図３に示すように、前記ディスク押圧部材８１は、略円錐台形に形成されていて外周部に末広がり状の傾斜面９１を有し、該傾斜面９１の根元部に鍔部９２を備えている。
【００５０】
前記ディスク押圧部材８１は、先端部に前記ディスク状記録媒体２のハブ２２の下端部を挿入保持する凹部９３を有していて、該凹部９３内に前記ハブ２２に設けた凸部２４が嵌合するようになっている。
【００５１】
前記付勢部材８２には、コイルスプリングが用いられていて前記シェルの上ハーフとインナーローターとの間に介在されている。
【００５２】
前記一対の押圧解除部材８３，８３は、前記上ハーフ４１の内面に沿ってスライドするベース部１０１と、該ベース部１０１の一端部に折曲形成されているディスク押圧部材操作部１０２と、を備えている。前記ベース部１０１には接近、離間方向への移動ガイド溝１０１ａが設けられていて、該ガイド溝１０１ａ内に前記上ハーフ４１の内面に設けた軸部４９が挿入される。
【００５３】
シャター４及びインナーローター５が前記駆動軸挿入用の開口部３６及びヘッド挿入用の開口部３７が閉塞する位置にあるときは、図６〜図８に示すように、インナーローター５に設けた突起８５は、前記一対の押圧解除部材８３，８３に設けた長溝８６の第２の溝部８８側に位置して、これら一対の押圧解除部材８３，８３を最も離間させた状態になっている。従って、前記ディスク押圧部材８１は、付勢部材８２の付勢力で前記鍔部９２が前記一対の押圧解除部材８３，８３に係合（当接）するまで前記ディスク状記録媒体２側に突出移動してディスク状記録媒体２のハブ２２を下ハーフ４２側に押し付けてディスク状記録媒体２をクランプしている。
【００５４】
また、シャター４及びインナーローター５が前記駆動軸挿入用の開口部３６及びヘッド挿入用の開口部３７が開放する位置にあるときは、図９〜図１１に示すように、インナーローター５に設けた突起８５は、前記一対の押圧解除部材８３，８３に設けた長溝８６の第３の溝部８９側に位置して、これら一対の押圧解除部材８３，８３を最も接近させた状態にしている。従って、前記ディスク押圧部材８１は、前記一対の押圧解除部材８３，８３のディスク押圧部材操作部１０２で前記傾斜面９１を押圧され、前記付勢部材８２の付勢力に抗して前記ディス押圧部材８１を前記ディスク状記録媒体２のハブ２２から離間させて該ディスク状記録媒体２のクランプを解除する。
【００５５】
図１２に示すように、前記ディスク押圧部材操作部１０２は、先端部１０２ａが前記ディスク押圧部材８１の傾斜面９１又は鍔部９２に接触し、先端部１０２ａ以外は部分１０２ｂは、前記ディスク押圧部材８１の傾斜面９１又は鍔部９２に対して非接触状態になっている。
（７）ドライブの概略構成
図１３に示すように、記録再生装置２０１は、ディスクカートリッジ１を挿入するカートリッジ挿入部２０２を備えている。カートリッジ挿入部２０２は、一側部に前記ディスクカートリッジ１の第１の平坦面３１ｂに当接するカートリッジ位置決め部材２０３を備えている。
【００５６】
カートリッジ位置決め部材２０３は、ディスクカートリッジ１が所定の位置まで侵入してきたとき、前記第１の平坦面３１ｂに面接触してディスクカートリッジ１の更なる侵入を阻止して、ディスクカートリッジ１の位置決めを行なうようになっている。
【００５７】
カートリッジ挿入部２０２は、他側部に前記スライダー６１又はシャッター４の一端部に当接して前記スライダー６１及びシャッター４を前記駆動軸挿入用の開口部３６を開放する方向にスライドさせるシャッター開閉部材２０４を備えている。
【００５８】
また、カートリッジ挿入部２０２は、奥端側に磁気ヘッド装置２０５を備えている。磁気ヘッド装置２０５は、軸２０６を中心にして回動する回動アーム２０７の先端部に磁気ヘッド２０８を設けることにより構成されていて、前記磁気ヘッド２０８を前記ヘッド挿入用の開口部３６からディスクカートリッジ１内に挿入すると共に、ディスク状記録媒体２を駆動軸（ターンテーブル）２０９にチャッキングしてディスク状記録媒体２の記録再生を行なうようになっている。
【００５９】
（８）作用の説明
次に、前記ディスクカートリッジ１及びドライブ２０１の作用について説明する。
【００６０】
図１３に示すように、ディスクカートリッジ１を正規の姿勢でドライブ２０１のカートリッジ挿入部２０２に挿入すると、シャッター開閉部材２０４によりシャッターロック部材５５によるシャッター４のロックが解除されてシャッター４とスライダー６１が同時にスライドする。そして、シャッター４が駆動軸挿入用の開口部３６を開放すると共に、スライダー６１のスライドによりインナーローター５が回転して周壁７４に設けた切欠部７５がヘッド挿入用の開口部３７と重なり合って、該ヘッド挿入用の開口部３７を開放すると共に、前記インナーローター５の回転により、図６〜図９に示すように、前記インナーローター５に設けた突起８５が前記押圧解除部材８３に設けた長溝８６内を第２の長溝部８８側から第１の長溝部８７を経て第３の長溝部８９側に変移して、前記一対の押圧解除部材８３，８３が互いに接近する方向にスライドし、これら一対の押圧解除部材８３，８３に設けたディスク押圧部材操作部１０２の先端部１０２ａが前記ディスク押圧部材８１の傾斜面９１を押圧し、前記ディスク押圧部材８１を前記付勢部材８２の付勢力に抗して上ハーフ４１側に移動させて、前記ディス押圧部材８１による前記ディスク状記録媒体２のハブ２２のクランプを解除し、前記ディスク状記録媒体２を回転自在の状態にする。
【００６１】
駆動軸挿入用の開口部３６及びヘッド挿入用の開口部３７が開放され、ディスク状記録媒体２のクランプが解除される位置までディスクカートリッジ１が挿入されると、図１４に示すように、ディスクカートリッジ１の第１の平坦面３１ｂがカートリッジ位置決め部材２０３に面接触してディスクカートリッジ１の更なる侵入を阻止して、ディスクカートリッジ１の位置決めを行なう。
【００６２】
前記ディスクカートリッジ１が所定の位置まで挿入され、かつ前記駆動軸挿入用の開口部３６及びヘッド挿入用の開口部３７が開放され、ディスク状記録媒体２のクランプが解除されたことが検出されると、ドライブ２０１の駆動軸２０９が前記駆動軸挿入用の開口部３６からディスクカートリッジ１内に導入され、駆動軸２０９にディスク状記録媒体２のハブ２２がマグネットチャキングされると共に、ヘッド挿入用の開口部３７から前記磁気ヘッド２０８がディスクカートリッジ１内に挿入される。前述したように、前記インナーローター５の基板７２の前記切欠部７５に連なるヘッド挿入部分及び移動部分には、薄肉の段差部７６が設けられていて、該段差部７６は、ディスク状記録媒体２との重合面側が凹んで、前記切欠部７５の厚み方向の幅が広がった状態になるので、そのぶん磁気ヘッド２０８の挿入が容易になる。そして、挿入された磁気ヘッド２０８でディスク状記録媒体２への記録再生が行われる。
【００６３】
記録再生終了後に、ディスクカートリッジ１がドライブ２０１から排出されてくると、シャッター４が閉方向にスライドして、駆動軸挿入用の開口部３６を閉塞すると共に、インナーローター５が回転して周壁７４に設けた切欠部７５がヘッド挿入用の開口部３７と非重合状態になって、ヘッド挿入用の開口部３７がインナーローター５の周壁７４で閉塞される。
【００６４】
前記インナーローター５の回転により、該インナーローター５に設けた突起８５が前記押圧解除部材８３に設けた長溝８６内を第３の長溝部８９側から第１の長溝部８７を経て第２の長溝部８８側に変移して、前記一対の押圧解除部材８３，８３を互いに離間する方向にスライドさせ、これら一対の押圧解除部材８３，８３によるディス押圧部材８１の押圧を徐々に緩和していく。
【００６５】
前記一対の押圧解除部材８３，８３による押圧を緩和されたディス押圧部材８１は、付勢部材８２の付勢力により下ハーフ４２側に移動して、前記ディスク状記録媒体２のハブ２２を下ハーフ４２側に押し付けてディスク状記録媒体２をシェル３内でクランプして、ディスクカートリッジ１を持ち運ぶ時などにシェル３内でディスクカートリッジ１がガタつくのを確実に阻止する。
【００６６】
【発明の効果】
本発明のディスクカートリッジには次に述べるような効果がある。
（１）インナーローターに設けた段差部の凹みによって、シェル内へのヘッドの挿入及び移動を確実に行なうことができる。
（２）前記段差部の上ハーフ側の突出部を上ハーフに設けた第１の凹部に挿入したので、前記突出部によって、ディスクカートリッジの肉厚が大になるのを防止することができる。また、前記第１の凹部によって、インナーローターの回転角度を規制することができる。
（３）また、前記第１の凹部の外側にディスククランプ手段配置用の第２の凹部を設けたのでインナーローターの段差部とディスククランプ手段とが干渉するのを防止することができる。
【図面の簡単な説明】
【図１】ディスクカートリッジの斜視図。
【図２】ディスクカートリッジを底面側から見た斜視図。
【図３】ディスクカートリッジの分解斜視図。
【図４】要部の断面図。
【図５】押圧解除部材の平面図。
【図６】駆動軸挿入用の開口部及びヘッド挿入用の開口部が閉塞されている状態の要部の平面図。
【図７】駆動軸挿入用の開口部及びヘッド挿入用の開口部が閉塞されている状態の側面図。
【図８】図６のＡ−Ａ断面図。
【図９】駆動軸挿入用の開口部及びヘッド挿入用の開口部が開放されている状態の要部の平面図。
【図１０】駆動軸挿入用の開口部及びヘッド挿入用の開口部が開放されている状態の側面図。
【図１１】図９のＡ−Ａ断面図。
【図１２】図１０の要部の拡大断面図。
【図１３】ディスクカートリッジと記録再生装置の略示的平面図。
【図１４】ディスクカートリッジを挿入した状態の平面図。
【符号の説明】
１…ディスクカートリッジ、２…ディスク状記録媒体、３…シェル、４…シャッター、５…インナーローター、６…ディスククランプ手段、２２…ハブ、３６…駆動軸挿入用の開口部、３７…ヘッド挿入用の開口部、４１…上ハーフ、４２…下ハーフ、４７…第２の凹部、５０…第１の凹部、７４…インナーローターの周壁、７５…切欠部、７６…段差部。
【図１】
2004273026.tif 000003
【図２】
2004273026.tif 000004
【図３】
2004273026.tif 000005
【図４】
2004273026.tif 000006
【図５】
2004273026.tif 000007
【図６】
2004273026.tif 000008
【図７】
2004273026.tif 000009
【図８】
2004273026.tif 000010
【図９】
2004273026.tif 000011
【図１０】
2004273026.tif 000012
【図１１】
2004273026.tif 000013
【図１２】
2004273026.tif 000014
【図１３】
2004273026.tif 000015
【図１４】
2004273026.tif 000016